(57)【要約】【課題】蝶番部を着脱自在とし扉の有無の選択が可能な分電盤を提供すること。【解決手段】内部に配電機器を収納するケース部材を備えた分電盤であって、ケース部材に、扉を軸支するための蝶番部を着脱自在とする蝶番部収納部３１を備え、蝶番部に、蝶番部収納部への挿入方向に対して直交する方向に立設する被係合部４１を備え、蝶番部収納部に、被係合部と係合する係合部３２を備えた構成とする。【選択図】図６
2019017207.tif 000002
【特許請求の範囲】
【請求項１】
内部に配電機器を収納するケース部材を備えた分電盤であって、ケース部材に、扉を軸支するための蝶番部を着脱自在とする蝶番部収納部を備え、蝶番部に、蝶番部収納部への挿入方向に対して直交する方向に立設する被係合部を備え、蝶番部収納部に、被係合部と係合する係合部を備えた分電盤。
【請求項２】
係合部は、弾性変形可能であり、係合部を操作することにより、被係合部との係合が解除可能である請求項１に記載の分電盤。
【請求項３】
蝶番部は、蝶番部の上面側に立設する被係合部と、下面側に立設する被係合部を備え、蝶番部収納部は、上面側に立設する被係合部と係合可能な上側係合部と、下面側に立設する被係合部と係合可能な下側係合部を備え、上側係合部と下側係合部の何れか一方を弾性変形可能とした請求項２に記載の分電盤。
【請求項４】
蝶番部の前面側に、係合部を操作する工具を挿入可能な開口を備えた請求項２又は３に記載の分電盤。
【請求項５】
蝶番部収納部を覆う被覆部材を固定する固定部をケース部材に備えた請求項１に記載の分電盤。
【請求項６】
扉にロック用係合部を備えるとともに、ケース部材にロック用係合部と係合するロック用被係合部を備え、扉には、前面側から後面側に貫通した窓部を備え、窓部を通して扉の前面側から視認可能な位置に、ロック用係合部が取り付けられた請求項１に記載の分電盤。
【発明の詳細な説明】
【技術分野】
【０００１】
本発明は、分電盤に関するものである。
【背景技術】
【０００２】
特許文献１に記載されているように、蝶番部をケース部材と一体的に設け、この蝶番部を用いて扉を取り付けることが知られている。なお、この扉はケース部材に設けた開口部を覆っている。
【先行技術文献】
【特許文献】
【０００３】
【特許文献１】特開２０００−３３２４５０号公報
【０００４】
ところで、施工現場において開口部を覆う扉は不要と判断される場合がある。しかしながら、ケース部材に蝶番部を設けているため、扉を取り付けないと蝶番部が目立ってしまう。また、これを回避するために、扉を取り付けないケース部材を専用品として別途製作することも可能ではあるが、製造すべきケース部材の種類が増加してしまう。また、設置現場で扉の要不要が判断されるような場合、予め、扉を取り付けるタイプのケース部材と扉を取り付けないタイプのケース部材の双方を用意する必要が生じる虞があった。
【発明の概要】
【発明が解決しようとする課題】
【０００５】
本件の発明者は、この点について鋭意検討することにより、解決を試みた。本発明の課題は、蝶番部を着脱自在とし扉の有無の選択が可能な分電盤を提供することである。
【課題を解決するための手段】
【０００６】
上記課題を解決するため、内部に配電機器を収納するケース部材を備えた分電盤であって、ケース部材に、扉を軸支するための蝶番部を着脱自在とする蝶番部収納部を備え、蝶番部に、蝶番部収納部への挿入方向に対して直交する方向に立設する被係合部を備え、蝶番部収納部に、被係合部と係合する係合部を備えた分電盤とする。
【０００７】
また、係合部は、弾性変形可能であり、係合部を操作することにより、被係合部との係合が解除可能である構成とすることが好ましい。
【０００８】
また、蝶番部は、蝶番部の上面側に立設する被係合部と、下面側に立設する被係合部を備え、蝶番部収納部は、上面側に立設する被係合部と係合可能な上側係合部と、下面側に立設する被係合部と係合可能な下側係合部を備え、上側係合部と下側係合部の何れか一方を弾性変形可能とした構成とすることが好ましい。
【０００９】
また、蝶番部の前面側に、係合部を操作する工具を挿入可能な開口を備えた構成とすることが好ましい。
【００１０】
また、蝶番部収納部を覆う被覆部材を固定する固定部をケース部材に備えた構成とすることが好ましい。
【００１１】
また、扉にロック用係合部を備えるとともに、ケース部材にロック用係合部と係合するロック用被係合部を備え、扉には、前面側から後面側に貫通した窓部を備え、窓部を通して扉の前面側から視認可能な位置に、ロック用係合部が取り付けられた構成とすることが好ましい。
【発明の効果】
【００１２】
本発明では、蝶番部を着脱自在とし扉の有無の選択が可能な分電盤を提供することが可能となる。
【図面の簡単な説明】
【００１３】
【図１】実施形態の分電盤の斜視図である。ただし、扉は閉じている。
【図２】実施形態の分電盤の斜視図である。ただし、扉は開いている。
【図３】蝶番部収納部周りの部分拡大図である。
【図４】カバー側蝶番部が蝶番部収納部に組み込まれた状態における蝶番部収納部周りの斜視図である。
【図５】カバー側蝶番部が蝶番部収納部に組み込まれた状態における蝶番部収納部周りの正面図である。
【図６】図５のＶＩ−ＶＩ断面図である。但し、蝶番部の蝶番部収納部への挿入方向及び抜出方向を矢印で表している。
【図７】図５のＶＩＩ−ＶＩＩ断面図である。但し、蝶番部の蝶番部収納部への挿入方向及び抜出方向を矢印で表している。
【図８】蝶番部周りの分解斜視図である。
【図９】分電盤の分解斜視図である。
【図１０】カバー部材を後面側から見た斜視図である。
【図１１】ボデー部材の斜視図である。
【図１２】扉を取り付けていない分電盤の斜視図である。
【図１３】蝶番部収納部と被覆部材の斜視図である。
【図１４】カバー側蝶番部を前面側斜め上から見た斜視図である。
【図１５】カバー側蝶番部を後面側斜め下から見た斜視図である。
【図１６】蝶番部収納部周りを後面側から見た部分拡大図である。
【図１７】板バネ部材と突起部が係合することにより、扉が６０度開放されている状態を示した図である。
【図１８】板バネ部材と突起部が係合することにより、扉が１００度開放されている状態を示した図である。
【図１９】扉の後面を表した斜視図である。
【図２０】分電盤の正面図である。
【図２１】扉にプッシュ部を取り付ける前の状態を表した図である。
【図２２】プッシュ部が扉に取り付けられた状態を表した断面図である。
【図２３】プッシュ部の斜視図である。
【発明を実施するための形態】
【００１４】
以下に発明を実施するための形態を示す。図１乃至図８に示されていることから理解されるように、本実施形態の分電盤１は、内部に配電機器を収納するケース部材１５を備えている。また、この分電盤１のケース部材１５には、扉１７を軸支するための蝶番部４を着脱自在とする蝶番部収納部３１を備えており、蝶番部４には、蝶番部収納部３１への挿入方向である前後方向に対して直交する方向である上下方向に立設する被係合部４１を備えており、蝶番部収納部３１には、被係合部４１と係合する係合部３２を備えている。このため、蝶番部４を着脱自在とし扉１７の有無の選択が可能な分電盤１を提供することが可能となる。
【００１５】
ここで、実施形態の分電盤１の各部分について説明する。実施形態の分電盤１は、ボデー部材１４とカバー部材１１を有するケース部材１５を備えている。このケース部材１５には配電機器が収納されている。また、カバー部材１１には開閉可能な扉１７を着脱可能に設けている。この扉１７は、カバー部材１１の後述する前面パネル１３から露出される配電機器のハンドルを覆うことができる。なお、図９に示すことから理解されるように、実施形態では、後面側に位置するボデー部材１４に、配電機器を備えた内機１６が固定されている。
【００１６】
図１０に示すことから理解されるように、実施形態のカバー部材１１は開口部１２を備えている。この開口部１２を覆うように、前面パネル１３が取り付けられるが、この際、開口部１２の端部に着脱可能に取り付けられる。この前面パネル１３は開口部１２を覆った際に、内機１６の開閉器等の配電機器のハンドルを露出させる表示窓９９を備えている。前面パネル１３は着脱可能であるため、内機１６の状態にあわせて適切な形態の前面パネル１３を選択することができる。
【００１７】
実施形態のカバー部材１１にはボデー部材１４と固定するために用いるラッチ部９８を備えている。また、このラッチ部９８を操作する操作部９７をカバー部材１１の前面側に備えている。また、ボデー部材１４にはラッチ部９８と係止する係止部９６を備えている。図１１に示すように、この係止部９６はボデー部材１４の側枠１９よりも突出するように構成されている。
【００１８】
ところで、図９に示すように、実施形態の分電盤１は、分岐ブレーカ８２や計測ユニット８３等の配電機器を固定する取付台１８を備えている。この取付台１８に、主幹ブレーカ８１、分岐ブレーカ８２、計測ユニット８３等の配電機器が固定されることにより内機１６が構成される。
【００１９】
分電盤１の外に位置する商用電源と接続される主幹ブレーカ８１は、リードバーを介して母線バーに接続される。母線バーは分岐ブレーカ８２や計測ユニット８３などの配電機器と接続され、各々に電力を供給する。この母線バーとリードバーを支持・固定するためにリードバー接続端子台８６を設けている。
【００２０】
リードバー接続端子台８６とは反対側には母線バーの開放端部を支持する母線バー端子台８７を設けている。母線バー端子台８７は、母線バーの左右を開放させた状態で母線バーを支持する構成であるため、母線バーの長手方向端部から配電機器の接続部を接続させることが可能である。なお、母線バーの前面には母線バーに触れないように充電保護カバー８８を設けている。
【００２１】
ところで、実施形態のカバー部材１１は扉１７の有無を選択可能である。このようなことを可能とする為、カバー部材１１の上方の左右端部には蝶番部収納部３１を設けている。この蝶番部収納部３１は、蝶番部４を着脱することが可能であり、蝶番部４を使用しない場合には、図１２に示すように、被覆部材３４を取付けることが可能である。この被覆部材３４を固定するために、ケース部材１５には固定部が設けられている。図１３に示すように、実施形態では固定部として係止部３３を設けているが被覆部材３４には、蝶番部収納部３１の左右側部に形成した係止部３３に係止可能な係止アーム３５を備えている。また、この係止アーム３５は蝶番部収納部３１に係止した状態では被覆部材３４に覆われているように形成しているため、係止部３３からの係止を解除するためにはカバー部材１１の内部から操作して取り外す構造となっている。このような構造にすれば、蝶番部４の着脱が可能であるため、蝶番部４を備えたカバー部材１１と、蝶番部４を備えないカバー部材１１の各々を用意する必要が無くなる。
【００２２】
実施形態の蝶番部４は、扉側蝶番部４２と蝶番部収納部３１に収納されるカバー側蝶番部４３からなる。図８に示すことから理解されるように、扉側蝶番部４２とカバー側蝶番部４３は、各々の筒状部４７に差し込まれる蝶番ピン４４を介して、回動可能に連結される。
【００２３】
また、図１４及び図１５に示すように、蝶番部４の蝶番ピン４４を通過させる筒状部４７の端部には、筒状部４７の孔部方向に突出形成した抜止片４９を一体に形成している。この抜止片４９は蝶番ピン４４の頭部を押さえるように設けられている。従来は、蝶番ピンと筒状部間に抜け止めワッシャを挿入して固定していたが、抜止片４９を筒状部４７に一体に形成することにより部品点数の削減をすることができる。また、取り付けの作業性を向上させることができる。
【００２４】
カバー側蝶番部４３は、上端及び下端の各々に被係合部４１を備えている。詳しくは、蝶番部４の挿入方向である前後方向に対して直交するように上下方向に立設する被係合部４１を形成している。カバー側蝶番部４３の上側に延びる上側被係合部４１ａと、カバー側蝶番部４３の下側に延びる下側被係合部４１ｂは各々左右方向にずらして設けている。また、蝶番部収納部３１内の上下には、各々の被係合部４１が係合可能な係合部３２を備えている。より詳しくは、上側被係合部４１ａに係合する上側係合部３２ａと、下側被係合部４１ｂに係合する下側係合部３２ｂである。図６、７及び１６に示すことから理解されるように、この係合部３２が被係合部４１と係合することにより、蝶番部４を蝶番部収納部３１内に嵌めた状態で、がたつきなく保持することが可能となる。なお、本実施形態の上下の被係合部４１は直交する方向に突出させているが、斜め方向に立設するものであっても良い。
【００２５】
なお、上側係合部３２ａと下側係合部３２ｂの何れか一方を弾性変形可能とすれば、押圧により、被係合部４１との係合が解除可能となる。実施形態では、下側係合部３２ｂが弾性変形可能であり、この下側係合部３２ｂを操作することにより、下側被係合部４１ｂとの係合を解除してカバー側蝶番部４３を取り外すことができる。
【００２６】
蝶番部収納部３１には、蝶番部４の下側被係合部４１ｂに対応する位置に、弾性体からなる係合部３２を備えている。また、蝶番部４自体には工具を差し込みできる開口４５を備えている。カバー部材１１の前面側から開口４５を通じて係合部３２を操作するための工具を挿し込み、係合部３２を押圧して、係合状態を解除すれば、蝶番部４をカバー部材１１から外すことが可能となる。なお、実施形態では、二つの下側被係合部４１ｂが設けられているが、両方の下側被係合部４１ｂが同様の形状になっている。なお、実施形態では、蝶番部４に開口４５を形成したが、蝶番部収納部３１に空間部を形成し、工具のアクセスができるようにしても良い。また、扉１７の後面側から工具を挿入して係合部３２を操作できる構造としても良い。
【００２７】
実施形態においては、蝶番部４を蝶番部収納部３１に嵌める際、カバー部材１１の前面側からカバー側蝶番部４３を斜め方向に傾斜させながら挿入し、上側被係合部４１ａを蝶番部収納部３１の上端側に係止させる。また、下側被係合部４１ｂで係合部３２を撓ませつつ挿入し、所定の位置になったときに、係合部３２を下側被係合部４１ｂに係止させる。
【００２８】
実施形態の蝶番部４には、下側被係合部４１ｂと同方向に立設する突部４６を備えている。実施形態の突部４６は下側被係合部４１ｂと交差する方向に延びており、下側被係合部４１ｂと繋がっている。この突部４６は軸受となる筒状部４７の補強機能を備えている。また、突部４６は、下側被係合部４１ｂが係合部３２と係合した状態においては、蝶番部収納部３１の左右に位置する壁面と係合部３２との間に位置され、蝶番部４の左右方向への移動を規制している。この際、下側被係合部４１ｂと突部４６で区画された空間に係合部３２が嵌った状態となっている。
【００２９】
実施形態のカバー側蝶番部４３には、左右方向に並んで二つの下側被係合部４１ｂが設けられている。この下側被係合部４１ｂ間には、板バネ部材３９を配置している。この板バネ部材３９は、扉側蝶番部４２に設けた複数の突起部４８の何れかと当接することで扉１７が所定の角度に傾いた状態を維持させるものである。実施形態の突起部４８は蝶番ピン４４の軸を中心に描いた円の径方向側に延びるように設けられている。なお、図１７に示した状態は、板バネ部材３９が突起部４８の一つと当接することにより、扉１７が約６０度の開度を保っていることを表している。また、図１８に示した状態は、板バネ部材３９が他の突起部４８の一つと当接することにより、扉１７が約１００度の開度を保っていることを表している。なお、開放角度は本実施形態に限らず、複数の角度で保つようにしても良いし、異なる角度で保つようにするものであっても良い。
【００３０】
板バネ部材３９は蝶番部４に係止した状態で蝶番部収納部３１に嵌め込まれるため、蝶番部４の取り付けと同時に蝶番部収納部３１に挿入することが可能である。板バネ部材３９とカバー側蝶番部４３の後面側にはネジを挿入可能なねじ固定部３８が設けられている。図６に示すことから理解されるように、このねじ固定部３８をカバー部材１１に形成した孔部３７と対応させてネジ固定することもできる。
【００３１】
実施形態では、扉１７とカバー部材１１は押し操作をすることにより、ロック状態と解錠状態を選択することができるようにするため、実施形態の分電盤１にはプッシュラッチを備えている。このプッシュラッチは、ロック用係合部５３と、このロック用係合部５３と係合するロック用被係合部５４を備えている。
【００３２】
実施形態の分電盤１は、扉１７にロック用係合部５３を備えるとともに、ケース部材１５にロック用係合部５３と係合するロック用被係合部５４を備えた構造とする。このため、図２及び図１９に示すことから理解されるように、扉１７に係止片となるプッシュ部５３ａを設け、カバー部材１１の下部には被係止片となるキャッチ部５４ａを設けている。プッシュ部５３ａがキャッチ部５４ａに係止されている状態において扉１７の前面を押圧すれば、この状態が解除されて扉１７を開放することが可能となる。また、プッシュ部５３ａがキャッチ部５４ａに係止されていない状態において、扉１７の前面を押圧すれば、これらを係止状態とすることが可能となる。
【００３３】
図２０乃至図２２に示すことから理解されるように、実施形態の扉１７には、前面側から後面側に貫通した窓部５１を備えている。ロック用係合部５３を、窓部５１を通して扉１７の前面側から視認可能な位置に取り付けることで、押圧位置の目安となるロック用係合部５３の位置を把握しやすいようにしている。このため、利用者にとって、押圧操作の位置が把握しやすくなる。
【００３４】
このようなことを可能とする為、扉１７には、窓部５１に対応する後面に、プッシュ部５３ａを引っ掛けることが可能な引掛部５２を設けており、引掛部５２にプッシュ部５３ａを固定することができる。なお、引掛部５２にプッシュ部５３ａを固定する際、窓部５１を通してクリップ部が視認できるように配置する。このクリップ部が、扉１７を開け広げるために押される押圧位置を表す表示片部５５となる。
【００３５】
実施形態における引掛部５２は、扉側蝶番部４２側から挿入可能である。扉側蝶番部４２が位置する側と逆側には扉１７の開放端部となっているが、この引掛部５２はプッシュ部５３ａが扉１７の開放端部側に移動することを規制する規制部５６と一体的に設けられている。プッシュ部５３ａが扉１７の開放端部側に移動することを規制する規制部５６が設けられることで、扉１７を開放可能角度まで開放してもプッシュ部５３ａが脱落しない構造となっている。
【００３６】
引掛部５２は窓部５１の左右両側に配置されているが、その各々は、外側に向いた被係合部を備えたフック部５７を備えている。このフック部５７にプッシュ部５３ａを引っ掛けるため、プッシュ部５３ａには、引掛部５２の外側から係止させるためのＬ字状のアーム部５８を設けている。プッシュ部５３ａは窓部５１の両端側に設けられた引掛部５２同士をわたすアーチ状に設けられており、引掛部５２が外側に広がろうとする弾性力によりプッシュ部５３ａのアーム部５８を押し付けて強固に固定することができる。
【００３７】
図２３に示すことから理解されるように、プッシュ部５３ａのアーム部５８とアーム部５８の間には表示片部５５が設けられている。この表示片部５５は、プッシュ部５３ａが固定位置に取り付けられた際に、扉１７の前面側から窓部５１を通して視認可能な位置に配置される。より具体的には、窓部５１を塞ぐように位置している。このような位置に表示片部５５が位置しているため、窓部５１を通して扉１７の後面側に埃などが侵入することを抑制することができる。
【００３８】
また、プッシュ部５３ａを固定位置に取り付けた際、表示片部５５は引掛部５２と引掛部５２の間に位置する。このような位置関係となることから、表示片部５５が引掛部５２に当接することができ、引掛部５２が内側に撓むことを防止することができる。
【００３９】
なお、プッシュ部５３ａは、分電盤１のカバー部材１１や扉１７とは異なる色となるようにしている。扉１７の色とプッシュ部５３ａの色を異なるものとすることで、操作位置の表示をより明確にすることができる。
【００４０】
実施形態の分電盤１は、扉１７を取り付けない場合には、図１２に示すように、キャッチ部５４ａが取り付けられていた部分を被覆材５９により覆うことができる構造としている。より具体的には、カバー部材１１に取り付けたキャッチ部５４ａを取り外し、キャッチ部５４ａが取り付けられていた部分を被覆材５９により覆うことができる構造としている。
【００４１】
以上、一つの実施形態について説明してきたが、本発明は上記実施形態に限定されることはなく、各種の態様とすることが可能である。例えば、被係合部は蝶番部の上下双方から突出するように設ける必要は無い。例えば上下どちらか片方にのみ突出するように設けることも可能である。また、左右方向に突出するように設けることも可能である。
【符号の説明】
【００４２】
１    分電盤
４    蝶番部
１５    ケース部材
１７    扉
３１    蝶番部収納部
３２    係合部
３２ａ  上側係合部
３２ｂ  下側係合部
４１    被係合部
４５    開口部
３４    被覆部材
５１    窓部
５３    ロック用係合部
５４    ロック用被係合部
【図１】
2019017207.tif 000003
【図２】
2019017207.tif 000004
【図３】
2019017207.tif 000005
【図４】
2019017207.tif 000006
【図５】
2019017207.tif 000007
【図６】
2019017207.tif 000008
【図７】
2019017207.tif 000009
【図８】
2019017207.tif 000010
【図９】
2019017207.tif 000011
【図１０】
2019017207.tif 000012
【図１１】
2019017207.tif 000013
【図１２】
2019017207.tif 000014
【図１３】
2019017207.tif 000015
【図１４】
2019017207.tif 000016
【図１５】
2019017207.tif 000017
【図１６】
2019017207.tif 000018
【図１７】
2019017207.tif 000019
【図１８】
2019017207.tif 000020
【図１９】
2019017207.tif 000021
【図２０】
2019017207.tif 000022
【図２１】
2019017207.tif 000023
【図２２】
2019017207.tif 000024
【図２３】
2019017207.tif 000025